(57)【要約】【課題】携帯電話機及びその携帯電話機に接続する無線ユニットが電子錠システムのリモコン側であるシステムにおいて、前記無線ユニットの内部記憶情報の設定ないし書き込み用のデータ設定端子を不要にする【解決手段】無線ユニット５は、外部通信端子２に接続するための携帯電話機通信用端子（兼用端子３）と、無線ユニット５が記憶する内部情報を、外部の設定機器から設定するためのデータ設定端子（兼用端子３）とを具備し、前記携帯電話機通信用端子と前記データ設定端子とは、１個の兼用端子３とする。【選択図】　　　図１
2004052515.tif 000002
【特許請求の範囲】
【請求項１】
外部通信端子を具備する携帯電話機と、無線信号の送信手段を具備し、前記外部通信端子に接続する無線ユニットと、及び前記無線ユニットが送信する情報を受信する電子錠本体と、を含む電子錠システムにおいて、
前記無線ユニットは、前記外部通信端子に接続するための携帯電話機通信用端子と、
無線ユニットが記憶する内部情報を、外部の設定機器から設定するためのデータ設定端子とを具備し、
前記携帯電話機通信用端子と前記データ設定端子とは、１個の兼用端子であることを特徴とする、電子錠システムの送信ユニット。
【請求項２】
前記無線ユニットは、前記兼用端子に接続された機器が前記携帯電話機であるか、前記設定機器であるか、を前記端子の所定ピンの状態でもって自動検出する手段を具備する、請求項１記載の電子錠システムの送信ユニット。
【請求項３】
前記自動検出する手段は、前記所定ピンの後段にツェナーダイオード、前記ツェナーダイオードの後段にトランジスタ、及び前記トランジスタの後段にＣＰＵを配置する直列接続と、前記トランジスター前記ＣＰＵラインに接続するプルアップ抵抗器と、を含む、前記所定ピンの後段に設ける電圧レベル検出回路で行なう請求項２記載の電子錠システムの送信ユニット。
【請求項４】
前記無線ユニットは、前記携帯電話機に接続してある状態のときだけ、無線信号の送信が可能となるよう構成されている請求項１記載、請求項２記載または請求項３記載の電子錠システムの送信ユニット。
【請求項５】
前記無線ユニットは、無線信号の受信手段を具備する、請求項１記載、請求項２記載、請求項３記載または請求項４記載の電子錠システムの送信ユニット。
【請求項６】
前記電子錠本体は、錠機構付きのシャックル及び錠機構付きの保管ケースを具備する、請求項１記載、請求項２記載、請求項３記載、請求項４記載または請求項５記載の電子錠システムの送信ユニット。
【発明の詳細な説明】
【０００１】
【発明の属する技術分野】
本発明は、携帯電話機と、その携帯電話機に接続する少なくとも送信機能を有する無線ユニットと、前記無線ユニットが送信する無線情報を受信する電子錠本体と、をシステムに含む、電子錠システムの送信ユニットに関する。
【０００２】
【従来の技術】
電子錠本体と、その電子錠本体に解錠指令などの各種の情報（ないし信号）を送信するリモコンと、を構成要素として含む電子錠（電気符号錠）システムが広く使われている。
このリモコンを構成する機器として、携帯電話機と無線通信ユニット（送信ユニットまたは無線ユニットをも称する）とを使用するシステムが知られている。携帯電話機というのは、無線電話機または移動電話機とも称される無線通信方式の携帯に便利な電話端末であり、普通はその底面に、（シリアル）外部通信端子を具備している。前記無線通信ユニットは、この外部通信端子に接続して使用する。つまり、携帯電話機と無線通信ユニットという２つの機器を接続したときに、その一体となった機器が、電子錠システムのリモコンとして働く仕組みである。携帯電話機と無線通信ユニットとを接続して、電子錠システムのリモコンとすることの利点は、無線通信ユニットで一時記憶する情報、例えば電子錠本体から受信した情報や電子錠本体へ送信した情報を携帯電話機を介してセンタに情報伝送できること、正当な携帯電話機の持ち主しか無線通信ユニットを使用できなくすること、言い換えれば、拾うなり、盗むなりして不正取得した無線通信ユニット単独では電子錠本体を操作できなくすること、などである。
このような従来の無線通信ユニットは、携帯電話機の外部通信端子に接続するための携帯電話機通信用端子と、無線ユニットが記憶する内部情報を外部の設定機器から設定するためのデータ設定端子と、２つの端子（コネクタ）を具備していた。なお、前記内部情報としては、例えば、無線ユニット自身のＩＤ、携帯電話機のＩＤ（例、携帯電話機の電話番号情報）、アクセス可能な電子錠本体のＩＤなどが挙げられる。
携帯電話機は、手のひらサイズ小型の機器であり、それに接続する無線ユニットのサイズ、容量（容積）も小さいほど、好ましい。しかし、従来、前記データ設定端子が邪魔になり、無線ユニットの小型化難しかった。また、前記データ設定端子を基板にハンダ付けしたり、もしくは基板に配線したりする手間とコストが必要であり、前記データ設定端子自体の部品コストも掛かっていた。
【０００３】
【発明が解決しようとする課題】
本発明に係る電子錠システムの送信ユニットは、上記した従来の技術が有する問題点に鑑みなされたもので、次の課題を解決することを目的とする。
携帯電話機及びその携帯電話機に接続する無線ユニットが電子錠システムのリモコン側であるシステムにおいて、前記無線ユニットの内部記憶情報の設定ないし書き込み用のデータ設定端子を不要にする。
【０００４】
【課題を解決するための手段】
上記課題を解決するための本第１発明は、請求項１に記載されたとおりの電子錠システムの送信ユニットであり、次のようなものである。
外部通信端子を具備する携帯電話機と、無線信号の送信手段を具備し、前記外部通信端子に接続する無線ユニットと、及び前記無線ユニットが送信する情報を受信する電子錠本体と、を含む電子錠システムにおいて、前記無線ユニットは、前記外部通信端子に接続するための携帯電話機通信用端子と、無線ユニットが記憶する内部情報を、外部の設定機器から設定するためのデータ設定端子とを具備し、前記携帯電話機通信用端子と前記データ設定端子とは、１個の兼用端子、すなわち共用の１個の端子であることを特徴とする、電子錠システムの送信ユニットである。
【０００５】
上記課題を解決するための本第２発明は、請求項２に記載されたとおりの電子錠システムの送信ユニットであり、次のようなものである。
前記無線ユニットは、前記兼用端子に接続された機器が前記携帯電話機であるか、前記設定機器であるか、を前記端子の所定ピンの状態でもって自動検出する手段を具備する、請求項１記載の電子錠システムの送信ユニットである。
【０００６】
上記課題を解決するための本第３発明は、請求項３に記載されたとおりの電子錠システムの送信ユニットであり、次のようなものである。
前記自動検出する手段は、前記所定ピンの後段にツェナーダイオード、前記ツェナーダイオードの後段にトランジスタ、及び前記トランジスタの後段にＣＰＵを配置する直列接続と、前記トランジスター前記ＣＰＵラインに接続するプルアップ抵抗器と、を含む、前記所定ピンの後段に設ける電圧レベル検出回路で行なう請求項２記載の電子錠システムの送信ユニットである。
【０００７】
上記課題を解決するための本第４発明は、請求項４に記載されたとおりの電子錠システムの送信ユニットであり、次のようなものである。
前記無線ユニットは、前記携帯電話機に接続してある状態のときだけ、無線信号の送信が可能となるよう構成されている請求項１記載、請求項２記載または請求項３記載の電子錠システムの送信ユニットである。
【０００８】
上記課題を解決するための本第５発明は、請求項５に記載されたとおりの電子錠システムの送信ユニットであり、次のようなものである。
前記無線ユニットは、無線信号の受信手段を具備する、請求項１記載、請求項２記載、請求項３記載または請求項４記載の電子錠システムの送信ユニットである。
【０００９】
上記課題を解決するための本第６発明は、請求項６に記載されたとおりの電子錠システムの送信ユニットであり、次のようなものである。
前記電子錠本体は、錠機構付きのシャックル及び錠機構付きの保管ケースを具備する、請求項１記載、請求項２記載、請求項３記載、請求項４記載または請求項５記載の電子錠システムの送信ユニットである。
【００１０】
【発明の実施の形態】
図１は、本発明に係わる電子錠システムの送信ユニットのブロック図である。携帯電話機１は、一般に市販されているものを使用してよく、その携帯電話機１と接続可能なように無線ユニット５を設計する。携帯電話機１は、制御部１２、入出力ポート１３、及び外部通信端子２を具備している。
一般に、市販のいわゆる携帯電話機１２は、ピン数１６ピンないし１８ピンのシリアル通信用の外部通信端子２を具備している。外部通信端子２は、１点鎖線で示す。なお、以後、外部通信端子２のピン数及びその外部通信端子２と接続する後述の兼用端子３のピン数は、それぞれ１６ピンであるものとし、ピンの番号も両者で一致するものとする。すなわち、外部通信端子２のピン１、ピン２及びピン３は、それぞれ兼用端子３のピン１、ピン２及びピン３と接続するのであり、ピン４以下もそれぞれ同様である。
本電子錠システムは、この外部通信端子２に無線ユニット５を接続してリモコンと成し、該リモコンから電子錠本体９に情報を送信または送受信するシステムである。
電子錠本体９は、錠機構１０を有しており、該リモコンから受信する情報に基づき、錠機構１０を、解錠したりしなかったり、ときに施錠したりする。なお、錠機構１０が解錠もしくはときに施錠する対象は、例えばドアノブ（図示せず）などに電子錠本体９をぶら下げるためのシャックル１０ａなどである。
無線ユニット５は、無線送信手段８ａを具備する。この無線送信手段８ａは、少なくとも情報（信号）の送信機能は有している。もちろん、無線送信手段８ａは、情報（信号）の受信機能を有していもよい。また、無線ユニット５は、外部通信端子２に接続するための携帯電話機通信用端子を必ず具備している。ここでは、この携帯電話機通信用端子のことを兼用端子３と称するものとする。そして、この兼用端子３は、無線ユニット５が記憶する内部情報を、外部のデータ設定機器（例、パーソナルコンピュータシステムいわゆるパソコン）を接続して設定するためのデータ設定端子でもある。
【００１１】
無線ユニット５は、その内部に制御基板６を設けると、その制御基板６に兼用端子３をハンダ付けすることができて便宜である。制御基板６の制御中枢がＣＰＵ７である。なお、ＣＰＵ７の周辺素子は、図示しない。
無線ユニット５の兼用端子３が備えている１６個のピンのうち、ここでは、ピン９ｉとピン１６ｐだけを示す。そして、携帯電話機１と無線ユニット５とを接続するときは、ピン９ｉは、信号の伝送が成されない、いわゆる未使用ピンであるものとし、携帯電話機１とデータ設定機器（図示せず）とを接続するときは、ピン１６ｐは、信号の伝送が成されない未使用ピンであるものとする。
ＣＰＵ７は、ピン９ｉ及びピン１６ｐの状態を監視し、ピン９ｉから信号が出力されてきて、かつ、ピン１６ｐから信号が出力されてこないときは、兼用端子３に、データ設定機器（図示せず）が接続されたのだと判断することができる。同様に、ＣＰＵ７は、ピン９ｉ及びピン１６ｐの状態を監視し、ピン１６ｐから信号が出力されてきて、かつ、ピン９ｉから信号が出力されてこないときは、兼用端子３に、携帯電話機１が接続されたのだと判断することができる。なお、兼用端子３に接続する機器を判別するための検出回路４を、兼用端子３とＣＰＵ７との間に設けてもよい。検出回路４の実施の形態については、後述する。
【００１２】
図２は、外部接続機器判別用の電圧レベル検出回路の概要図である。
検出回路４は、例えば、図２のような構成にすることができる。ここでは、兼用端子３の１本のピン１５ｏを使って兼用端子３に接続されたのが携帯電話機１２かデータ設定機器かを判別する回路の実施の形態を説明する。なお、ピン１５ｏは、兼用端子３に携帯電話機１もしくはデータ設定機器を接続したとき、ともに未使用ピンでないものとする。
携帯電話機１を兼用端子３に接続したとき、外部通信端子２のピン１５ｏ、すなわち兼用端子３のピンでもあるピン１５ｏには、＋ＤＣ５Ｖ（以後、単に５Ｖとも表記）の電圧が供給されるものとする。実際にわが国の携帯電話機の市場シェアトップの通信事業者の携帯電話機では、そうなっている。
ピン１５ｏの後段には、ツェナーダイオード２０、ツェナーダイオード２０の後段にトランジスタを２４接続する。トランジスタ２４は、ごく一般的なバイポーラトランジスタでよい。トランジスタ２４には、ベース抵抗である抵抗器２１と、ベース−エミッタ間抵抗である抵抗器２を、当業者の設計選択事項として設ける。トランジスタ２４のエミッタ端子は接地する。トランジスタ２４のコレクタ出力は、ＣＰＵ７の検出回路接続ピン１６に接続するとともに、該コレクターＣＰＵ７のラインには、いわゆるプルアップ抵抗である抵抗器３を設ける。また、ツェナーダイオード２０の逆電圧は、例えば＋ＤＣ６Ｖであるものとする。
一方、兼用端子３にデータ設定機器、例えば、いわゆるパソコン（図示せず）、もしくは後述するインターフェース基板（図２では示していない）を接続したときは、ピン１５ｏに＋ＤＣ８Ｖの電圧が出力されるものとする。
【００１３】
今、兼用端子３に携帯電話機１を接続したものとする。この場合、トランジスタ２４のコレクタ出力、すなわちＣＰＵ７の検出回路接続ピン１５ｏの電位は、ｇｒｏｕｎｄ（グランドないしグラウンド）を基準としてＨレベルの約５Ｖである。逆電圧６Ｖのツェナーダイオード２０には電流が流れず、その結果、トランジスタ２４は、ｏｆｆ状態であるからである。ＣＰＵ７は、トランジスタ２４のコレクタ出力がＨレベルの約５Ｖであることを検出し、兼用端子３に接続されたのが携帯電話機１であると認識するとともに、予め記憶している携帯電話機１との通信用のプログラムを実行する。
今度は、データ設定機器（インターフェース基板）を兼用端子３に接続したとする。ピン１５ｏには、＋ＤＣ８Ｖが供給される。逆電圧が６Ｖであるツェナーダイオード２０に電流が流れ、トランジスタ２４がターンオンし、ｏｎ状態となる。従って、トランジスタ２４のコレクタ出力（検出回路接続ピン１６）の電位は、Ｌレベルである約０Ｖになる。ＣＰＵ７は、トランジスタ２４のコレクタ出力がＬレベルになったことを検出し、兼用端子３にデータ設定機器（インターフェース基板）が接続されたものと認識するとともに、データ設定機器との通信用のプログラムを実行する。
このように、機器によって異なる電圧を出力する兼用端子３の所定ピン、ここはピン１５ｏを監視対象にすることによって、兼用端子３の１本のピンと検出回路４とＣＰＵ７とによって、兼用端子３に接続する機器を判別することができる。つまり、無線ユニット５は、データ設定用端子と携帯電話機接続用端子とを１個の共通の端子、兼用端子３とすることができる。
【００１４】
図３は、本発明に係わる電子錠システムの送信ユニットの実施の一形態を示すブロック図である。
無線ユニット５は、携帯電話機１に接続してある状態のときだけ、無線信号の送信が可能となるよう構成してもよい。無線ユニット５のＣＰＵ７と携帯電話機１の制御部１２とは、兼用端子３、外部通信端子２の例えばピン６ｆ及びピン７ｇを介して、情報の伝送が可能である。無線ユニット５は、携帯電話機１の電話番号情報を制御基板６の記憶部１４に予め記憶しておき、接続した携帯電話機１の電話番号情報を受信して、両情報を照合すれば、正当な携帯電話機１を無線ユニット５に接続したときだけ、無線通信手段８を動作させるように設計することが可能である。また、無線ユニット５は、無線信号の受信手段を具備していてもよい。図３及び後述の図４では、無線通信手段８は、無線信号の送信機能及び受信機能を有している。
【００１５】
また、本システムの電子錠本体９は、錠機構１０付きのシャックル１０ａ及び錠機構付きの保管ケース１１を具備する構成であってもよい。なお、前記保管ケースの錠機構と前記シャックル１０ａの錠機構１０とは、共通であってもよいし、別々であってもよい。その点は、当業者の設計上の選択事項である。
【００１６】
図４は、無線ユニットとデータ設定機器の接続状態を示すブロック図である。データ設定機器としてパソコン１７を無線ユニット５の兼用端子３と接続するときは、パソコン１７と兼用端子３の間にインターフェース基板１５を設けることが現実的である。インターフェース基板１５は、兼用端子３と接続可能な無線ユニット接続端子２ａを具備し、パソコン１７と無線ユニット５との間の情報の伝送を中継する。なお、図３と図４において、無線ユニット５の構成（ブロック図）は、全く同様である。両図の相違点は、無線ユニット５に携帯電話機１を接続するときは、ＣＰＵ７は、それを検出して、携帯電話機１との通信用用のプログラムを実行し、無線ユニット５にパソコン１７（インターフェース基板１５）を接続するときは、ＣＰＵ７は、それを検出して、パソコン１７との通信用プログラムを実行するということである。それらのプログラムは、記憶部１４（例、ＲＯＭ）に格納しておけばよい。
【００１７】
【発明の効果】
本発明に係る電子錠システムの送信ユニットは、以上説明してきたような構成であるので、以下に記載する効果を奏する。
携帯電話機及びその携帯電話機に接続する無線ユニットが電子錠システムのリモコン側であるシステムにおいて、前記無線ユニットの内部記憶情報の設定ないし書き込み用として、従来備えていたデータ設定端子を、携帯電話機を接続するための端子と共用し、１個の兼用端子とした。また、無線ユニットは、その兼用端子に携帯電話機が接続されたのか、パソコンなどのデータ設定機器が接続されたのか、自動判別できるようにした。このように、本発明を実施することによって、無線ユニットのデータ設定端子を廃することができたので、小型で製造コストの安価な電子錠システムの送信ユニットを提供することが可能である。
【図面の簡単な説明】
【図１】図１は、本発明に係わる電子錠システムの送信ユニットのブロック図である。
【図２】図２は、外部接続機器判別用の電圧レベル検出回路の概要図である。
【図３】図３は、本発明に係わる電子錠システムの送信ユニットの実施の一形態を示すブロック図である。
【図４】図４は、無線ユニットとデータ設定機器の接続状態を示すブロック図である。
【符号の説明】
１　携帯電話機
２　外部通信端子
２ａ　無線ユニット接続端子
３　兼用端子
４　検出回路
５　無線ユニット
６　制御基板
７　ＣＰＵ
８　無線通信手段
８ａ　無線送信手段
９　電子錠本体
１０　錠機構
１０ａ　シャックル
１１　錠機構付き保管ケース
１２　制御部
１３　入出力ポート
１４　記憶部
１５　インターフェース基板
１６　検出回路接続ピン
１７　パソコン
２０　ツェナーダイオード
２１　抵抗器１
２２　抵抗器２
２３　抵抗器３
２４　トランジスタ
ｆ　ピン６
ｇ　ピン７
ｉ　ピン９
ｏ　ピン１５
ｐ　ピン１６
【図１】
2004052515.tif 000003
【図２】
2004052515.tif 000004
【図３】
2004052515.tif 000005
【図４】
2004052515.tif 000006